(57)【要約】【課題】  回動筒を簡単に緩め方向に回動せしめることができる極めて作業性に秀れたチャック装置を提供することである。【解決手段】  本体１に設けた回動筒２を回動させ、この回動筒２と共に回動する回動ナット３の回動により該回動ナット３と螺合している爪４を拡縮進退させ、工具５を該爪４により挟持若しくは開放するチャック装置であって、回動筒２の外周面には、レンチ等の回動用工具６により前記回動筒２を把持して回動せしめるための回動用把持部７が設けられているものである。【選択図】        図１
2006150575.tif 000002
【特許請求の範囲】
【請求項１】
本体に設けた回動筒を回動させ、この回動筒と共に回動する回動ナットの回動により該回動ナットと螺合している爪を拡縮進退させ、工具を該爪により挟持若しくは開放するチャック装置であって、回動筒の外周面には、レンチ等の回動用工具により前記回動筒を把持して回動せしめるための回動用把持部が設けられていることを特徴とするチャック装置。
【請求項２】
請求項１記載のチャック装置において、回動用把持部は、回動筒の先端部に設けられていることを特徴とするチャック装置。
【請求項３】
請求項１，２いずれか１項に記載のチャック装置において、回動筒の回動用把持部は、断面視多角形状若しくは二面取り形状に設定されていることを特徴とするチャック装置。
【発明の詳細な説明】
【技術分野】
【０００１】
本発明は、ドリルやエンドミル等の工具を挟持する為のチャック装置に関するものである。
【背景技術】
【０００２】
チャック装置として、本体に設けた回動筒を回動させ、この回動筒と共に回動する回動ナットの回動により該回動ナットと螺合している爪を拡縮進退させ、工具を該爪により挟持若しくは開放するものが提案されている。
【０００３】
このような従来のチャック装置は、回動筒を握持して回動せしめ、爪を拡縮進退させている。
【発明の開示】
【発明が解決しようとする課題】
【０００４】
しかしながら、工具を高速で回転させながら加工を行う場合、その回転方向により回動筒が緩んだり過締まりすることがあり、特に過締まりした場合には、回動筒を緩めることが厄介となってしまうことがある。
【０００５】
本発明は、上述のような問題点を解決したもので、回動筒を簡単に緩め方向に回動せしめることができる極めて作業性に秀れたチャック装置を提供するものである。
【課題を解決するための手段】
【０００６】
添付図面を参照して本発明の要旨を説明する。
【０００７】
本体１に設けた回動筒２を回動させ、この回動筒２と共に回動する回動ナット３の回動により該回動ナット３と螺合している爪４を拡縮進退させ、工具５を該爪４により挟持若しくは開放するチャック装置であって、回動筒２の外周面には、レンチ等の回動用工具６により前記回動筒２を把持して回動せしめるための回動用把持部７が設けられていることを特徴とするチャック装置に係るものである。
【０００８】
また、請求項１記載のチャック装置において、回動用把持部７は、回動筒２の先端部に設けられていることを特徴とするチャック装置に係るものである。
【０００９】
また、請求項１，２いずれか１項に記載のチャック装置において、回動筒２の回動用把持部７は、断面視多角形状若しくは二面取り形状に設定されていることを特徴とするチャック装置に係るものである。
【発明の効果】
【００１０】
本発明は上述のように構成したから、回動用工具により簡単に回動筒を回動せしめることができ、過締まりが生じた場合にも簡単に緩めることができる極めて実用性に秀れたチャック装置となる。
【発明を実施するための最良の形態】
【００１１】
好適と考える本発明の実施の形態を、図面に基づいてその作用効果を示して簡単に説明する。
【００１２】
回動筒２の回動用把持部７を回動用工具６で把持して簡単に回動させることができるから、例えば爪４で挟持された工具５を高速で回転させながら加工を行い、回動筒２（回動ナット３と爪４との螺合部）が過締まりとなっても簡単に緩めることができる。
【実施例】
【００１３】
本発明の具体的な実施例について図面に基づいて説明する。
【００１４】
本実施例は、本体１に設けた回動筒２を回動させ、この回動筒２と共に回動する回動ナット３の回動により該回動ナット３と螺合している爪４を拡縮進退させ、工具５を該爪４により挟持若しくは開放するチャック装置であって、回動筒２の外周面には、ＪＩＳ等で規格化され、市場で容易に入手できるモンキーやスパナのようなレンチ等の回動用工具６により前記回動筒２を把持して回動せしめるための回動用把持部７が設けられているものである。
【００１５】
本体１には、該本体１に設けた傾斜穴１ａを挿通して先端に突出すると共に本体１の軸芯に対して傾斜する三本の、内面に工具挟持部を形成した爪４が設けられ、この三本の爪４の外側には雄ネジ部４ａが形成され、この爪４には雌ネジ部３ａを有する回動ナット３が該雄ネジ部４ａと螺合する状態で被嵌されている。
【００１６】
回動ナット３は、二つの半円状の分割ナットを連設したものが採用されている。
【００１７】
また、本体１には合成樹脂製の回動筒２が被嵌されている。この回動筒２の周面には握持部８が設けられている。
【００１８】
この回動筒２の先端部にスパナ等の回動用工具６の回動用先端部６ａと当接する回動用把持部７が設けられている。従って、手で握持部８を握持して簡単に回動筒２を回動せしめられるのは勿論、スパナ等の回動用工具６を用いることで確実に回動筒２を回動せしめることができる。
【００１９】
具体的には、回動用把持部７は、断面視六角形状（軸直交断面における外形状が六角形状）に設定されている。従って、レンチ等の回動用工具６の回動用先端部６ａ（具体的には前記断面視六角形状部分に被嵌され、該六角形状部分の２面に当接するコ字状部）をそれだけ簡単に係止させることができ、よって、回動筒２を簡単に回動せしめることができる。尚、本実施例においては回動用把持部７は、断面視六角形状としているが、断面視八角形状等、他の（断面視多角）形状に設定しても良いし、回動用工具６の回動用先端部６ａと当接する一対の平坦面を形成した二面取り形状に設定しても良い。
【００２０】
また、回動用工具６の回動用先端部６ａとの当接面７ａは回動用先端部６ａと略同じ幅に設定されている。従って、回動用工具６の回動用先端部６ａによる回動筒２の把持に必要且つ十分な大きさとなり、回動筒２の回動を良好に行えると共に、握持部８の領域を必要以上に減らす必要がない。
【００２１】
また、回動用把持部７は回動筒２の胴部より径小な先端部に設けられている。従って、回動用把持部７には、それだけ径小なスパナ等が合致することになる。
【００２２】
また、回動ナット３と回動筒２とを一体に回動させるため、回動ナット３の先端と回動筒２の内段面とには、凹凸嵌合部（ドライブキー）が設けられている。この凹凸嵌合部は対向状態で一対設けられている。
【００２３】
尚、符号９は、分割ナットを環状に保形する環部材、10は環部材抜け止め用のストップリング、11は回動ナット３と本体１の受け部12との間に設けられる転動部材（鋼球，セラミックボール，プラスチックボール）、13は本体１に回り止め状態に設けられた握持筒、14は電動ドリルの主軸と連結する連結部である。
【００２４】
本実施例の作動について説明すると、前記三本の爪４の間に工具５を挿入し、回動筒２（回動ナット３）を手で回動することで、爪４を縮小前進させて工具５を把持し、該工具５により例えば穴あけ作業を行う。この際、回動筒２が過締まりした場合には、回動用工具６により回動用把持部７を把持し回動することで回動筒２を緩め方向に回動する。
【００２５】
本実施例は上述のように構成したから、回動筒２の回動用把持部７を回動用工具６で把持して簡単に回動させることができるから、例えば爪４で挟持された工具５を高速で回転させながら加工を行い、回動筒２（回動ナット３と爪４との螺合部）が過締まりしても簡単に緩めることができることになる。
【００２６】
また、回動用把持部７は、断面視六角形状に設定されているから、レンチ等の回動用工具６の回動用先端部６ａを係止し易く、それだけ簡単に回動筒２を回動せしめることができることになる。
【００２７】
また、回動用把持部７は回動筒２の胴部より径小な先端部に設けられているから、それだけ径小なスパナ等で回動筒２を回動せしめられることになる。
【００２８】
従って、本発明は、回動用工具により簡単に回動筒を回動せしめることができ、過締まりが生じた場合にも簡単に緩めることができる極めて実用性に秀れたチャック装置となる。
【図面の簡単な説明】
【００２９】
【図１】本実施例の説明側断面図である。
【図２】本実施例の説明概略斜視図である。
【符号の説明】
【００３０】
１  本体
２  回動筒
３  回動ナット
４  爪
５  工具
６  回動用工具
７  回動用把持部
【図１】
2006150575.tif 000003
【図２】
2006150575.tif 000004